(57)【特許請求の範囲】
【請求項１】
CATVシステムの上り信号と下り信号の双方又は一方の信号のレベル（入／出力レベル）が所定値になるように、線路機器のレベルを調整する方法において、
管理端末器から線路機器に設定値を送信し、線路機器の電子制御部は受信した設定値に基づいて上りレベル設定回路と下りレベル設定回路を自動調整して線路機器の入／出力レベルを前記設定値に応じて設定し、上りレベル設定回路と下りレベル設定回路の設定パラメータ（設定データ）を線路機器のベースユニットの記憶領域（ベース記憶領域）と線路機器のステータス通信部の記憶領域（ステータス記憶領域）の双方に記憶させ、ベースユニットを他のベースユニットと交換したときに、ステータス記憶領域に記憶されている先の設定データを交換後のベースユニットのベース記憶領域に移行し、又はステータス通信部を他のステータス通信部と交換したときに、ベース記憶領域に記憶されている先の設定データを交換後のステータス通信部のステータス記憶領域に移行し、前記いずれの移行後も、その移行された設定データに基づいて線路機器を運用させることを特徴とするCATVシステム用線路機器のレベル設定方法。
【請求項２】
CATVシステムの上り信号と下り信号の双方又は一方の信号のレベル（入／出力レベル）が所定値になるように、線路機器のレベルを調整する方法において、
CATVシステムのヘッドエンドからCATVシステムに敷設された線路機器に設定値を送信し、線路機器の電子制御部は受信した設定値に基づいて上りレベル設定回路と下りレベル設定回路を自動調整して線路機器の入／出力レベルを前記設定値に応じて設定し、上りレベル設定回路と下りレベル設定回路の設定パラメータ（設定データ）を線路機器のベースユニットの記憶領域（ベース記憶領域）と線路機器のステータス通信部の記憶領域（ステータス記憶領域）の双方に記憶させ、ベースユニットを他のベースユニットと交換したときに、ステータス記憶領域に記憶されている先の設定データを交換後のベースユニットのベース記憶領域に移行し、又はステータス通信部を他のステータス通信部と交換したときに、ベース記憶領域に記憶されている先の設定データを交換後のステータス通信部のステータス記憶領域に移行し、前記いずれの移行後も、その移行された設定データに基づいて線路機器を運用させることを特徴とするCATVシステム用線路機器のレベル設定方法。
【請求項３】
請求項１又は請求項２記載のCATVシステム用線路機器のレベル設定方法において、
ベースユニットを他のベースユニットと交換したときは、ステータス記憶領域に交換前のベースユニットの設定データがあること、交換後のベースユニットのレベルが未調整であることを確認してから、ステータス記憶領域に記憶されている前記設定データを交換後のベースユニットのベース記憶領域に記憶させることを特徴とするCATVシステム用線路機器のレベル設定方法。
【請求項４】
請求項１又は請求項２記載のCATVシステム用線路機器のレベル設定方法において、ステータス通信部を他のステータス通信部と交換したときは、ベース記憶領域に交換前のステータス通信部の設定データがあること、交換後のステータス通信部のレベルが未調整であることを確認してから、ベース記憶領域に記憶されている前記設定データを交換後のステータス通信部のステータス記憶領域に記憶させることを特徴とするCATVシステム用線路機器のレベル設定方法。
【請求項５】
レベル設定回路と、レベル設定回路を制御可能な電子制御部とを備え、線路機器のレベル設定回路を電子制御して、CATVシステムの上り信号と下り信号の双方又は一方の信号のレベル（入／出力レベル）が所定のレベルになるように入／出力レベルの設定を自動的に行うことができるCATVシステム用線路機器において、
線路機器にベースユニット、定電源装置（AVR）、ステータス通信部が設けられ、ベースユニットとステータス通信部とは別々に交換可能であり、ベースユニットは下り信号のレベル設定可能な下り調整回路（下りレベル設定回路）と、上り信号のレベル設定可能な上り調整回路（上りレベル設定回路）と、夫々の調整回路（レベル設定回路）を自動的に制御してレベル設定可能な電子制御部と、記憶領域（ベース記憶領域）を備え、ステータス通信部は記憶領域（ステータス記憶領域）を備え、それらベース記憶領域とステータス記憶領域の夫々には、下りレベル設定回路に設定された設定パラメータ（設定データ）と上りレベル設定回路に設定されたレベル設定値を記憶でき、ステータス記憶領域に記憶されたレベル設定値は、既設のベースユニットと交換された交換後のベースユニットのベース記憶領域に移行でき、ベース記憶領域に記憶されたレベル設定値は、既設のステータス通信部と交換された交換後のステータス通信部のステータス記憶領域に移行できることを特徴とするCATVシステム用線路機器。
【発明の詳細な説明】
【技術分野】
【０００１】
本発明はCATVシステムの伝送路に挿入（敷設）される光ノード、幹線増幅器（TA）、幹線分岐増幅器（TBA）、幹線分配増幅器（TDA）、延長増幅器（EA）等のCATVシステム用線路機器（以下単に「線路機器」という。）の利得、減衰量、周波数特性を調整して、CATVシステムにおける上り信号と下り信号の双方又はいずれか一方の信号レベルを設定する方法と、それら信号レベルを設定可能なCATVシステム用線路機器に関するものである。
【背景技術】
【０００２】
（周波数特性）
CATVシステムの伝送ロスは敷設された同軸ケーブルの長さ、CATV線路に挿入された線路機器（例えば分岐・分配器等）の数、分配数等との関係から周波数によって異なるため、線路機器から上り回線を使用してセンター（ヘッドエンド）に送られる上り信号のレベルは低い周波数と高い周波数で異なり、両周波数間のレベルの傾き（周波数特性）が異なる。同様に、線路機器から下り回線を使用して下流の機器に送られる下り信号のレベルも周波数によって異なり、周波数特性が異なる。
【０００３】
（線路機器のレベル調整）
CATV線路には不特定長の同軸ケーブルと、不特定数の線路機器が敷設されても、線路機器から送られてセンターに到着する上り信号のレベルは一定であることが望ましい。同様に、センターから下り回線に送られて中継機器や端末機器に到着する下り信号のレベルも一定であることが望ましい。このため、線路機器は、工場での生産時（出荷前）に標準値に合わせてレベル調整されているが、CATVシステムに敷設する前に、その敷設箇所で必要とされている値（必要値）に合わせて上り信号／下り信号の入／出力レベルを調整し、更に、線路機器へ敷設（新設、増設、改修、交換等）して運用開始する前に、敷設した線路の伝送ロスとの関係で、上り信号／下り信号の入／出力レベル及び周波数特性が所定の特性になるようにレベル調整しているのが実情である。しかし、線路機器には利得、減衰量、周波数特性等（以下「機器特性」という。）が固定のものと、可変のものがある。
【０００４】
（入出力特性固定の線路機器：レベル調整不可）
機器特性の固定の線路機器は、CATVシステムの上り信号と下り信号の入／出力レベルを同軸ケーブルの特性に応じてシステム設計しているが次のような難点があった。
１．同一メーカー品（線路機器）であっても、線路機器群が異なると入／出力レベルが異なり、線路機器が同一でも他メーカーの線路機器では入／出力レベルが異なることから、一旦、CATVシステム用伝送路の設計を行ってCATVシステムを構築すると、その後は容易にシステム変更ができなかった。また、新たな機種を採用することも入／出力レベルが異なり難しかった。
２．線路機器の故障や不具合の発生により線路機器を交換する必要が生じても、線路機器の交換ができず対応が困難になる。この場合、敷設中の線路機器と同一入／出力レベルの線路機器を在庫しておくことが考えられるが、線路機器には前記のように多種類の機器があるため、それら線路機器を在庫すると膨大な数量になり、広い保管場所が必要になり、管理が面倒である。メーカーで後継機種の生産を行っていない場合は、交換用の線路機器が存在せず交換できず、CATVシステムの運営上、大きな問題となっていた。
【０００５】
（入出力可変式線路機器１:レベル調整可能）
可変式の線路機器のレベル調整は、一般的には、ATTやEQを差し替えるプラグイン方式で行われている。プラグイン方式のレベル調整方法として図８に示すシステムを使用する方法がある。図８のシステムは線路（同軸ケーブル）Ａに接続される分岐・分配器等の線路機器Ｂに、周波数の異なる２波以上の上り帯域の信号を発振できる信号発振器ＳＧを接続し、信号発振器ＳＧから発振される２波以上の信号を、線路機器Ｂを通して上り回線に送出する。ここで、２波以上の信号を発振できる信号発振器ＳＧを使用するのは、線路に使用される同軸ケーブルＡ、線路に接続される線路機器Ｂにより生じる周波数毎のロスが、同軸ケーブルＡの長さや線路機器Ｂの使用数、分配数等により異なるため、低い周波数と高い周波数の信号を端末側から挿入してセンター（ヘッドエンド）ＨＥに到達するレベルを確認するためである。
【０００６】
図８の信号発振器ＳＧから発振された周波数の異なる２つの信号（いずれも上り周波数帯域の信号）は、線路機器Ｂ内の増幅器Ｄ１（図９）、上り調整回路Ｅ１（図９）に入力され、それらから出力された信号は同軸ケーブルＡを通って光ノードＦ（図８）に入力される。光ノードＦに入力された電気信号は、光ノードＦにおいて光信号に変換されて出力され、その光信号は上り光伝送路Ｇ１を通り、ヘッドエンドＨＥの「Ｏ／Ｅ」にて電気信号に戻されて、ヘッドエンドＨＥにあるスペクトラムアナライザー（スペアナ）Ｈに入力される。スペアナＨは両信号の絶対レベルとレベル差を波形で確認することができる。スペアナＨはその波形をビデオ信号で出力する。このビデオ信号はヘッドエンドＨＥのテレビ変調器Ｉで下りの空きチャンネルに変調され、ヘッドエンドＨＥの「Ｅ／Ｏ」にて光信号に変換されて下り光伝送路Ｇ２に送出される。この光信号は、光ノードＦで電気信号に変換されてから同軸ケーブルＡに出力される。線路機器Ｂ側では前記テレビ信号をテレビ受信機ＴＶで受信し、ＴＶの画面を見て、ヘッドエンドＨＥに到着する信号のレベルを確認しながら、線路機器Ｂの上り調整回路Ｅ１、例えば、プラグイン方式のATT（減衰器）、イコライザー、利得調整回路（GC回路：Gain Control回路）やスロープ回路等を手動操作して、上り回線を伝送される上り信号のレベルや周波数特性を調整する。
【０００７】
（プラグイン方式の信号調整方法の難点）
図８のシステムを使用した上り信号調整方法は次のような難点があった。
１．上り線路調整時に、上り帯域の異なる周波数の２波以上を発振可能な信号発振器ＳＧを、線路機器側に運搬する必要があるため運搬作業が大変である。
２．ビデオ出力のある高価なスペクトラムアナライザーが必要である。
３．周波数帯域に限りある下りチャンネルを使用するため、下りチャンネルに空きがない場合は使用できない。
４．マニュアル調整であるため、調整作業が面倒であり、調整者によってバラツキが出る。
５．デジタル放送に移行後は、受像機もデジタル対応になり高価なデジタル変調器が必要になる。
６．調整に先立って、システム計算を行って最適値のATTやEQを用意しなければならない。
７．線路機器を敷設する伝送路の場所によってATTやEQの値が異なる。
８．線路機器とは別に様々な種類や値のATTやEQを管理しなければならない。
【０００８】
（特許文献１）
双方向CATVシステムにおける上りTV変調信号の自動レベル調整方法として、特許文献１もある。しかし、その調整方法は、インカム（通話機）を利用して、センターとテレビ変調器間で通話しながら調整する方法である。この自動レベル調整方法は通話器を利用するものであるため通話可能区間でしか使用できないという難点がある。
【０００９】
（特許文献２）
CATV用線路機器として、特許文献２の発明もある。これは出力レベル調整機能のないCATV用線路機器（増幅器）において、信号入力端子と信号出力端子間に信号レベルを調整できる信号減衰器を設け、減衰器を使用して適切な出力レベルを確保できるようにしたものであるが、信号減衰器の減衰量を手動操作で調整するものであり、自動的に調整できるものではない。
【先行技術文献】
【特許文献】
【００１０】
【特許文献１】特開平７−２２２１３６
【特許文献２】特開２００２−３００５５２
【発明の概要】
【発明が解決しようとする課題】
【００１１】
本発明は上り信号や下り信号のレベル設定や周波数特性等の設定を自動的に行うことができ、一度設定すれば、その後に、線路機器のベースユニット又はステータス通信部を交換しても、交換した新たな線路機器のレベルや周波数特性を設定し直す必要がなく、交換前の設定値をそのまま利用できるようにするレベル設定方法とその設定が可能な線路機器を提供することにある。
【課題を解決するための手段】
【００１２】
本発明のCATVシステム用線路機器のレベル設定方法は、CATVシステムの上り信号と下り信号の双方又は一方の信号のレベル（入／出力レベル）が所定値になるように、線路機器のレベルを調整する方法において、管理端末器から線路機器に設定値を送信し、線路機器の電子制御部は受信した設定値に基づいて上りレベル設定回路と下りレベル設定回路を自動調整して線路機器の入／出力レベルを前記設定値に応じて設定し、上りレベル設定回路と下りレベル設定回路の設定パラメータ（設定データ）を線路機器のベースユニットの記憶領域（ベース記憶領域）と線路機器のステータス通信部の記憶領域（ステータス記憶領域）の双方に記憶させ、ベースユニットを他のベースユニットと交換したときに、ステータス記憶領域に記憶されている先の設定データを交換後のベースユニットのベース記憶領域に移行し、又はステータス通信部を他のステータス通信部と交換したときに、ベース記憶領域に記憶されている先の設定データを交換後のステータス通信部のステータス記憶領域に移行し、前記いずれの移行後も、その移行された設定データに基づいて線路機器を運用させるものである。
【００１３】
本発明のCATVシステム用線路機器のレベル設定方法は、CATVシステムの上り信号と下り信号の双方又は一方の信号のレベル（入／出力レベル）が所定値になるように、線路機器のレベルを調整する方法において、CATVシステムのヘッドエンドからCATVシステムに敷設された線路機器に設定値を送信し、線路機器の電子制御部は受信した設定値に基づいて上りレベル設定回路と下りレベル設定回路を自動調整して線路機器の入／出力レベルを前記設定値に応じて設定し、上りレベル設定回路と下りレベル設定回路の設定パラメータ（設定データ）を線路機器のベースユニットの記憶領域（ベース記憶領域）と線路機器のステータス通信部の記憶領域（ステータス記憶領域）の双方に記憶させ、ベースユニットを他のベースユニットと交換したときに、ステータス記憶領域に記憶されている先の設定データを交換後のベースユニットのベース記憶領域に移行し、又はステータス通信部を他のステータス通信部と交換したときに、ベース記憶領域に記憶されている先の設定データを交換後のステータス通信部のステータス記憶領域に移行し、前記いずれの移行後も、その移行された設定データに基づいて線路機器を運用させるものである。
【００１４】
本発明のCATVシステム用線路機器のレベル設定方法は、前記レベル設定方法において、ベースユニットを他のベースユニットと交換したときは、ステータス記憶領域に交換前のベースユニットの設定データがあること、交換後のベースユニットのレベルが未調整であることを確認してから、ステータス記憶領域に記憶されている前記設定データを交換後のベースユニットのベース記憶領域に記憶させるのがよい。
【００１５】
本発明のCATVシステム用線路機器のレベル設定方法は、前記レベル設定方法において、ステータス通信部を他のステータス通信部と交換したときは、ベース記憶領域に交換前のステータス通信部の設定データがあること、交換後のステータス通信部のレベルが未調整であることを確認してから、ベース記憶領域に記憶されている前記設定データを交換後のステータス通信部のステータス記憶領域に記憶させるのがよい。
【００１６】
本発明のCATVシステム用線路機器は、レベル設定回路と、レベル設定回路を制御可能な電子制御部とを備え、線路機器のレベル設定回路を電子制御して、CATVシステムの上り信号と下り信号の双方又は一方の信号（入／出力信号）のレベルが所定のレベルになるように入／出力レベルの設定を自動的に行うことができるCATVシステム用線路機器において、線路機器にベースユニット、定電源装置（AVR）、ステータス通信部が設けられ、ベースユニットとステータス通信部とは別々に交換可能であり、ベースユニットは下り信号のレベル設定可能な下り調整回路（下りレベル設定回路）と、上り信号のレベル設定可能な上り調整回路（上りレベル設定回路）と、夫々の調整回路（レベル設定回路）を自動的に制御してレベル設定可能な電子制御部と、記憶領域（ベース記憶領域）を備え、ステータス通信部は記憶領域（ステータス記憶領域）を備え、それらベース記憶領域とステータス記憶領域の夫々には、下りレベル設定回路に設定された設定パラメータ（設定データ）と上りレベル設定回路に設定されたレベル設定値を記憶でき、ステータス記憶領域に記憶されたレベル設定値は、既設のベースユニットと交換された交換後のベースユニットのベース記憶領域に移行でき、ベース記憶領域に記憶されたレベル設定値は、既設のステータス通信部と交換された交換後のステータス通信部のステータス記憶領域に移行できるものである。
【発明の効果】
【００１７】
本発明のCATVシステム用線路機器のレベル設定方法は、CATVシステムの上り信号と下り信号の双方又は一方の信号（入／出力信号）が所定レベルになるように設定した線路機器のレベル設定値を、線路機器のベース記憶領域とステータス記憶領域の夫々に記憶させるので、ベースユニットの交換時に、ステータス記憶領域に記憶されているレベル設定値を交換後のベース記憶領域に移行して、移行された設定値でCATVシステムを運用することができ、交換後に改めてレベル設置をし直す必要がなく、交換後のシステム運用開始を迅速且つ容易に行うことができる。
【００１８】
本発明のCATVシステム用線路機器は、線路機器のステータス通信機器は交換せずにベースユニットだけを交換可能であるため、下りレベル設定回路の設定レベルと上りレベル設定回路の設定レベルをベース記憶領域とステータス記憶領域の双方に記憶しておき、異常発生や規格変更等によりベースユニットを交換した時に、ステータス記憶領域に記憶されている設定値を、交換後のベースユニットのユニット記憶領域に移行して、移行された設定値でCATVシステムを運用することができるので、交換後に改めて下りレベル設定回路と上りレベル設定回路のレベルを設定し直す必要がなく、交換後のCATVシステム運用開始を迅速且つ容易に行うことができ、ステータス通信部が無駄にならず、有効活用できる。
【図面の簡単な説明】
【００１９】
【図１】本発明のCATVシステム用線路機器のレベル設定方法の概要説明図。
【図２】本発明のCATVシステム用線路機器の一例を示す概要図。
【図３】本発明のCATVシステム用線路機器の一例を示すブロック図。
【図４】本発明のCATVシステム用線路機器のレベル設定方法の第二の例の概要説明図。
【図５】図４の線路機器の構成を示すブロック図。
【図６】図４におけるレベル測定器の一例を示すブロック図。
【図７】本発明のCATVシステム用線路機器の一例を示すブロック図。
【図８】従来の上り回線のレベル及び周波数特性自動調整装置の一例を示すブロック図。
【図９】図１のブロック図における線路機器の一例を示すブロック図。
【発明を実施するための形態】
【００２０】
本発明のCATVシステム用線路機器のレベル設定方法は、双方向CATVシステムに設置（敷設）する前も、敷設後も行うことができる。設置前は図１のように管理端末器（例えばパソコン：PC）Ｃと接続して行うことができ、設置後は図４のようにCATVシステムのヘッドエンド５０と通信して行うことができる。
【００２１】
（実施形態１）
図１はCATVシステム用の線路機器Ｂに管理端末器Ｃ、例えばパソコン（PC）を接続して、CATVシステムの上り回線のレベルや周波数特性等を自動設定する場合の一例である。
【００２２】
図１の管理端末器Ｃには、下り／上りの入力レベル、出力レベル、チルト量などを設定できるようにするため、入／出力レベル、利得、チルト量等の標準設定値をはじめとして、それらの設定に必要な各種データ（設定値）が登録されており、登録してある機器に対応した設定値を選択して線路機器Ｂに入力することで、線路機器Ｂ内の電子制御部（マイコン等）を制御し、その電子制御部により線路機器Ｂの下り調整回路、上り調整回路を自動的に制御して、下り／上りの入力レベル、出力レベル、チルト量などの設定値を入力せずに自動的に設定（レベル設定）を行うことができ、設定値の保存、管理等も行うことができるようにしてある。図１の管理端末器Ｃは敷設現場の事務所やCATV事業者内で線路機器Ｂに接続することで、線路機器ＢをCATVシステムに敷設する前にレベル設定することができる。
【００２３】
図１の線路機器Ｂとしては各種のものを使用可能であるが、その一例を図２に示す。図２に示す線路機器Ｂは機器本体部（本体）１と、機器蓋部（蓋）２を備え、本体１の下り入力／上り出力端子４と、下り出力／上り入力端子５の間に、下り信号と上り信号を分波する下り／上り分波フィルター（HPF、LPF）６ａ、６ｂ、下り調整回路７、上り調整回路８、記憶領域（ベース記憶領域）９、電子制御部１０、下り増幅器（AMP）１１、上り増幅器１２、下りステータス信号を分岐する下り分岐器１３、上り信号を分岐する上り分岐器１４、上り／下り分波フィルター（HPF、LPF）１５ａ、１５ｂが設けられている。蓋２には定電源回路（AVR）１６、ステータス通信部１７が設けられ、ステータス通信部１７にステータス記憶素子（ステータス記憶領域）１８が設けられている。
【００２４】
図２の下り調整回路７には、下り信号到達レベルを調整可能な下り入力レベル調整減衰器（例えば、電子可変式ATT）、下り入力レベルを調整可能な下り入力レベル調整等価器（例えば、調整回路やスロープ回路）、下り出力レベルを任意に変更することのできる下り出力レベル設定減衰器（例えば、電子可変式ATT）、下り出力レベルを任意に変更することのできる下り出力レベル設定等価器（例えば、調整回路やスロープ回路）等を使用することができる。
【００２５】
図２の上り調整回路８には、センターへの上り信号の到達レベルを調整可能な上り出力レベル調整減衰器（例えば、電子可変式ATT等）、センターへの上り信号の到達レベルを調整する上り出力レベル調整等価器（例えば、電子可変式の等価器やスロープ回路等）を使用することができる。
【００２６】
図２の電子制御部１０には、例えば、パソコンが使用される。この電子制御部１０は図１の管理端末器Ｃから線路機器Ｂに下り／上りの入力レベル、出力レベル、チルト量などが入力されると、線路機器内の下り調整回路７の前記下り入力レベル調整減衰器や下り入力レベル調整等価器、上り調整回路８の前記上り入力レベル調整減衰器や上り入力レベル調整等価器を電子的に自動制御して、下り／上りの入力レベル、出力レベル、チルト量などを自動的に所定値に設定し、設定値の保存、管理等を行うことができるものである。
【００２７】
図２のベース記憶領域９とステータス記憶領域１８は、前記下り調整回路７、上り調整回路８で設定された設定値を記憶可能なものであり、記憶素子を使用することができ、それら記憶領域への記憶、設定値の変更、ステータス記憶領域に記憶されている設定値のベース記憶領域への移行等を、前記電子制御部１０で行うことができるようにしてある。
【００２８】
図１のように、管理用機器Ｃと線路機器Ｂを接続して、CATVシステムの上り回線のレベルや周波数特性等を自動設定する場合、線路機器Ｂには各種構成の線路機器を使用することができるが、例えば、図３に示す線路機器Ｂを使用することができる。
【００２９】
図３に示す線路機器Ｂは、下り入力信号及び上り出力信号を外部と接続する下り入力／上り出力端子４と、下り出力信号及び上り入力信号を外部と接続する下り出力／上り入力端子５の間に、下り信号と上り信号を分波する下り／上り分波フィルター（HPF、LPF）６ａ、６ｂ、下り信号到達レベルを調整する下り入力レベル調整減衰器（例えば、電子可変式ATT等）７ａ、下り信号到達レベルを調整する下り入力レベル調整等価器（例えば、電子可変式の等価器やスロープ回路等）７ｂを備えた下り調整回路７、下り信号を増幅する下り初段増幅器（例えば、IC等）１１ａ、同軸ケーブルなどの温度変化による減衰量変化を吸収する回路（TWlST GC）２０、下り信号入力レベルを任意に変更することができる入力レベル設定減衰器（電子可変式ATT等）２１、AGC回路に信号を分岐する分岐器２２、分岐された信号からAGCパイロット信号を取り出す検波フィルター（例えば、バンドパスフィルタ等）２３、AGCパイロット信号を検波するAGC検波器（例えば、IC等）２４、下りステータス信号を分岐する分岐器２５、下り出力レベルを任意に変更することができる下り出力レベル設定減衰器（電子可変式のATT等）２６、下り出力レベルを任意に変更することのできる下り出力レベル設定等価器（例えば、調整回路やスロープ回路）２７、下り信号を増幅する下り最終段増幅器（例えば、IC等）２８、下り信号と上り信号を分波する下り／上り分波フィルター（HPF、LPF）１５ａ、１５ｂを備えている。また、上り信号入力レベルを任意に変更することができる上り入力レベル設定減衰器（電子可変式のATT等）３０、上り初段増幅器（IC等）３１、上りステータス信号を混合する混合器３２、上り最終段増幅器（IC等）３３、上り信号のセンター到達レベルを調整する上り出力レベル調整減衰器（電子可変式のATT等）８ａ、上り信号のセンター到達レベルを調整する上り出力レベル調整等価器（電子可変式の等価器やスロープ回路等）８ｂを備えた上り調整回路８、ステータスモニター（STM）３４、マイコン（電子制御部）１０、その他の設定回路３５が設けられている。電子制御部１０には管理端末機Ｃを接続（連結）可能な端末機接続端子３６が設けられている。その他の設定回路３５としては、例えば流合雑音検出回路、流合雑音を遮断或いは通過させるゲートを開閉制御するゲート制御回路、上り帯域切り替え回路等がある。
【００３０】
前記線路機器Ｂは下り／上りの入力レベル、出力レベル、チルト量などの設定の他に、ステータスモニターセンターソフトの監視アドレスや線路機器Ｂのその他の設定回路３５の状態等も同時に設定することができるようにしてある。
【００３１】
（実施形態２）
本発明では、CATVシステムの伝送線路に敷設した線路機器を、運用開始前にレベル調整して、上り回線のレベル及び周波数特性自動設定することもできる。その自動設定方法の一例を図４〜図６の自動設定システムに基づいて説明する。
【００３２】
本発明の自動設定方法は、HFC方式以外の双方向CATVシステムでも調整可能であるが、図４に示した双方向CATVシステムはHFC方式であり、センター（ヘッドエンド）５０と光ノード５１の間が光線路５２で結ばれ、光ノード５１と線路機器Ｂの間が同軸ケーブル５３結ばれている場合である。
【００３３】
図４のヘッドエンド５０にはレベル測定器５４、コンピュータ（パソコン）５５、RFモデム５６が設置されている。レベル測定器５４は図６に示すように、上り入力端６０とマイコン６１の間に、線路機器Ｂ（図４）からの信号（Ｆ１）が通過可能なバンドパスフィルタ（BPF1）−信号Ｆ１用の信号増幅器６２−局部信号発振器６３−周波数変換用のミキサー６４−変換後周波数が通過可能なバンドパスフィルタ（BPF3）−変換後信号増幅器６５−検波器６６が挿入された信号伝送路（Ｆ１用）６７と、線路機器Ｂからの信号（Ｆ２）が通過可能なバンドパスフィルタ（BPF2）−信号Ｆ２用の信号増幅器６８−局部信号発振器６９−周波数変換用のミキサー７０−変換後周波数が通過可能なバンドパスフィルタ（BPF4）−変換後信号増幅器７１−検波器７２が挿入された信号伝送路（Ｆ２用）７３が並列に配置されている。
【００３４】
図６のレベル測定器５４では、線路機器Ｂの信号発振器（SG）８２（図５）から送られる周波数の異なる２以上の信号のレベルを測定し、受信したレベルと基準値とを比較して、差分値を求めて、差分値をコンピュータに出力可能なものである。レベル測定器５４はレベルを測定するが、差分値は求めずに、そのレベルをコンピュータ５５（図４）に出力し、差分値はコンピュータ５５で求めることもできる。
【００３５】
図４の線路機器Ｂには図５に示す線路機器Ｂを使用することができる。図５に示す線路機器Ｂには、マイコン（CPU：電子制御部）１０、RFモデム８１、信号発振器（SG）８２、下り調整回路７、上り調整回路８が搭載（内蔵）されている。マイコン１０はRFモデム８１、信号発振器（SG）８２、下り調整回路７、上り調整回路８を制御可能なものであり、RFモデム８１はヘッドエンド５０（図４）と通信を行うための変・復調器であり、信号発振器（SG）８２は周波数の異なる２以上の信号を発振可能なものであり、電子制御部１０は信号発振器（SG）８２から発振される信号の周波数、レベル等を調整可能なものである。
【００３６】
図５の上り調整回路８には減衰器、利得調整回路、等価器、スロープ回路等のいずれか一つ又は二以上が使用され、減衰器の場合は減衰量が、利得調整回路の場合は増幅器の利得が、等価器の場合は等価量が、スロープ回路の場合は上り回線を伝送される２以上の信号のレベルが電子制御部１０で電気的に自動調整されて、信号レベル、周波数特性（Ｆ１、Ｆ２の傾き）が調整されるようにしてある。
【００３７】
図５の構成の線路機器Ｂが図４の伝送線路に挿入され、図６の構成のレベル測定器５４がヘッドエンド５０に装備されたCATVシステムの上り回線のレベル及び周波数特性を自動調整する場合の一例を以下に示す。
【００３８】
（１）線路機器Ｂにて自動調整開始の操作を行うと、線路機器Ｂ内の電子制御部（マイコン）１０からの指示により信号発振器（SG）８２の出力がオンする。
【００３９】
（２）線路機器Ｂの信号発振器（SG）８２から発振された周波数の異なる二以上の信号は、図５の線路機器Ｂ内の分岐・分配器８３を通して信号増幅器８５、上り調整回路８に入力される。入力された信号はローパスフィルタ（LPF2）を通過してCATV線路を通って光ノード５１（図４）に入力される。
【００４０】
（３）光ノード５１に入力された電気信号は光信号に変換されて出力される。その光信号は光線路を通り、ヘッドエンド５０の光・電気変換器Ｏ／Ｅにて電気信号に変換される。
【００４１】
（４）前記周波数の異なる２以上の電気信号はヘッドエンド５０のレベル測定器５４で受信されてレベル測定器５４でレベル測定される。レベル測定器５４は前記２以上の信号の着信と、各々の信号の測定レベルとレベル調整規格値との差分値を求め、その差分値をヘッドエンド５０のコンピュ−タ５５（図４）に出力する。この場合、差分値を求めずに、測定レベルそのものをコンピュ−タ５５に出力することもできる。
【００４２】
（５）ヘッドエンド５０のコンピュ−タ５５は、レベル測定器５４から読み込んだ差分値を、RFモデム８１（図５）を通して線路機器Ｂに送る。この場合、コンピュータ５５において、レベル測定器５４での測定レベルとレベル調整規格値との差分値を求め、その差分値を、RFモデム５６を通して線路機器Ｂに送ることもできる。
【００４３】
（６）前記差分値を線路機器Ｂに送るとき、CATV線路上のどの線路機器Ｂが上り信号を出力したか不明であるため、CATV線路上の全ての線路機器Ｂに対するグローバルアドレスで送出する。
【００４４】
（７）線路機器ＢはRFモデム５６から受信した差分値に基づいて、線路機器Ｂの上り調整回路８（図５）の減衰量、利得、等価量、スロープ等を自動的に調整して、上り回線を伝送される信号のレベルや周波数特性を調整する。
【００４５】
（８）ヘッドエンド５０に到着する信号のレベル及び周波数特性が規格値に入るまで前記（２）〜（７）の操作を自動的に繰返し行って上り回線の自動調整を終了する。
【００４６】
（９）前記自動調整が完了したら、ヘッドエンド５０のコンピュータ５５は線路機器Ｂにアドレスの要求を出力する。
【００４７】
（１０）線路機器Ｂのマイコン１０（図５）は前記アドレス要求に応じて、対象線路機器Ｂが初めてヘッドエンド５０にアドレスを応答する。
【００４８】
（１１）ヘッドエンド５０のコンピュータ５５は線路機器Ｂのアドレス判明後、その線路機器Ｂに信号発信器（SG）８２（図５）からの上り信号の出力停止命令を送る。
【００４９】
（１２）線路機器Ｂ側のマイコン１０は前記出力停止命令の受信により信号発信器（SG）８２の出力を停止する。
【００５０】
前記（９）では、自動調整完了後にアドレス要求を出力するようにしてあるが、本発明におけるアドレス要求の出力は自動調整完了後ではなく、調整の途中（調整前）においても行うことができる。
【００５１】
（実施形態３）
本発明では、線路機器Ｂとして図７の機器を使用することもできる。この線路機器Ｂは下り調整回路７の部分だけを示したものである。図７において、４は下り入力／上り出力端子、５は下り出力／上り入力端子、７は下り調整回路、１１は減衰器（ATT）下り信号増幅器、９はベース記憶領域、１０は電子制御部（マイコン）、９０は下りパイロット信号検波器、１２は上り信号増幅器である。
【００５２】
図７の線路機器Ｂを使用する場合は、ヘッドエンド５０（図４）から送られる下り信号を分岐器１３で分岐し、分岐信号から検波器９０で下りパイロット信号２波（73MHz、451.25MHz）のレベルを検波し、A/D変換し、２波のレベルが等しくなるように下り調整回路７のEQ、SLOPE、BONの回路を電子制御部マイコン１０（図５）で制御して周波数特性を調整する。２波のレベルが前記設定値になるように下り調整回路７のATT回路をマイコン１０で制御して利得を調整する。この自動制御の繰り返しにより、２波のレベルが前記設定値になるように調整して、下り信号の周波数特性、利得を調整する。
【００５３】
本発明では、前記いずれの方法でレベル調整した場合も、そのレベル設定データをベース記憶領域９（図１）と、ステータス記憶領域１８（図２）に保存する（記憶させる）。
【００５４】
本発明の線路機器Ｂでは、ベースユニット３（図２）を交換する必要が生じた時は、ステータス通信部１７（図２）もステータス記憶領域９（図２）も交換せず、ベースユニット３だけを交換する。この場合、電子制御部１０（図２）により、交換後のベースユニット３のベース記憶領域９に何のデータも記憶されていないこと、元のステータス通信機器１７のステータス記憶領域１８に元の設定データが記憶されていることを確認してから、ステータス記憶領域１８に記憶されている設定データを、前記交換後のベースユニット３のベース記憶領域９に移行し、その設定データを使用して、線路機器を運用する。
【００５５】
本発明の線路機器Ｂにおいて、ステータス通信部１７（図２）を交換する必要が生じた時は、ベースユニット３（図２）もベース記憶領域９（図２）も交換せず、ステータス通信部１７だけを交換する。この場合、電子制御部１０（図２）により、交換後のステータス通信部１７のステータス記憶領域１８に何のデータも記憶されていないこと、元のベースユニット３のベース記憶領域９に元の設定データが記憶されていることを確認してから、ベース記憶領域９に記憶されている設定データを、交換後のステータス通信部１７のステータス記憶領域１８に移行し、その設定データを使用して、線路機器を運用する。
【符号の説明】
【００５６】
１  機器本体部（本体）
２  機器蓋部（蓋）
３  ベースユニット
４  下り入力／上り出力端子
５  下り出力／上り入力端子
６ａ、６ｂ  下り／上り分波フィルター（HPF、LPF）
７  下り調整回路（下りレベル設定回路）
７ａ  下り入力レベル調整減衰器
７ｂ  下り入力レベル調整等価器
８  上り調整回路（上りレベル設定回路）
８ａ  上り出力レベル調整減衰器
８ｂ  上り出力レベル調整等価器
９  記憶領域（ベース記憶領域）
１０  電子制御部（マイコン）
１１  下り増幅器（AMP）
１１ａ  初段増幅器
１２  上り増幅器
１３  下りステータス信号分岐用の下り分岐器
１４  上り信号分岐用の上り分岐器
１５ａ、１５ｂ  上り／下り分波フィルター（HPF、LPF）
１６  定電源回路（AVR）
１７  ステータス通信部
１８  ステータス記憶素子（ステータス記憶領域）
２０  TWlST GC
２１  入力レベル設定減衰器
２２  分岐器
２３  AGCパイロット信号を取り出す検波フィルター
２４  AGCパイロット信号を検波するAGC検波器
２５  分岐器
２６  下り出力レベル設定減衰器
２７  下り出力レベル設定等価器
２８  下り最終段増幅器
３０  上り入力レベル設定減衰器
３１  上り初段増幅器
３２  混合器
３３  上り最終段増幅器
３４  ステータスモニター（STM）
３５  その他の設定回路
３６  端末機接続端子
５０  センター（ヘッドエンド）
５１  光ノード
５２  光線路
５３  同軸ケーブル
５４  レベル測定器
５５  コンピュータ（パソコン）
５６  RFモデム
６０  上り入力端
６１  マイコン
６２  信号Ｆ１用の信号増幅器
６３  局部信号発振器
６４  周波数変換用のミキサー
６５  変換後信号増幅器
６６  検波器
６７  信号伝送路（Ｆ１用）
６８  信号Ｆ２用の信号増幅器
６９  局部信号発振器
７０  周波数変換用のミキサー
７１  変換後信号増幅器
７２  検波器
７３  信号伝送路（Ｆ２用）
８１  RFモデム
８２  信号発振器（SG）
８３  分岐・分配器
８４  分岐・分配器
８５  信号増幅器
９０  下りパイロット信号検波器
Ａ  線路（同軸ケーブル）
Ｂ  線路機器
Ｃ  管理端末器
Ｄ１、Ｄ２  増幅器
Ｅ１  上り調整回路
Ｅ２  下り調整回路
Ｆ  光ノード
Ｇ１  上り光伝送路
Ｇ２  下り光伝送路
Ｈ  スペクトラムアナライザー
ＨＥ  ヘッドエンド
Ｉ  テレビ変調器
ＳＧ  信号発信器
【図１】
0005129367.tif 000002
【図２】
0005129367.tif 000003
【図３】
0005129367.tif 000004
【図４】
0005129367.tif 000005
【図５】
0005129367.tif 000006
【図６】
0005129367.tif 000007
【図７】
0005129367.tif 000008
【図８】
0005129367.tif 000009
【図９】
0005129367.tif 000010